(57)【要約】【課題】電源側の発熱によるＬＥＤチップの劣化を防止すると共に、交換作業が容易なＬＥＤランプを提供する。【解決手段】複数のＬＥＤチップと、該複数のＬＥＤチップを支持する金属基板と、該金属基板を周方向に複数配置して保持する支持部材と、前記金属基板に直流電力を供給する口金とを備え、該口金の各電極と前記金属基板に設けた電極とはそれぞれケーブルによって接続され、また前記金属基板を配置した支持部材を覆う透明カバーと、該カバーを介して放熱する放熱部材を備えた。【選択図】        図１
0003169673.tif 000002
【実用新案登録請求の範囲】
【請求項１】
複数のＬＥＤチップと、該複数のＬＥＤチップを支持する金属基板と、該金属基板を周方向に複数配置して保持する支持部材と、前記金属基板に直流電力を供給する口金とを備え、該口金の各電極と前記基板に設けた電極とはそれぞれケーブルによって接続され、また前記金属基板を配置した支持部材を覆う透明カバーと、該カバーを介して放熱する放熱部材を備えたことを特徴とするＬＥＤランプ。
【請求項２】
前記支持部材は、熱伝導性に優れたアルミなどの金属素材で成形され、円筒の周囲に均等に配置された複数の平板からなり、前記ＬＥＤチップに生じる熱を外部に放熱する前記放熱部材と連結可能としたことを特徴とする請求項１に記載のＬＥＤランプ。
【考案の詳細な説明】
【技術分野】
【０００１】
本考案は、ＬＥＤチップを使用したランプであって、とくに街灯、非常灯などの照明器具に使用され、交換作業が容易であると共に、ＬＥＤチップの劣化の少ないＬＥＤランプに関するものである。
【背景技術】
【０００２】
近年、ＬＥＤを使用した照明器具が広く採用されている。とくに街灯などに使用される灯具には高輝度ＬＥＤを多数使用して、必要とされる照度を確保する技術が広く採用されてきた。
【０００３】
上記の灯具には、通常はプリント基板に複数のＬＥＤチップが実装されたものが使用されており、外部電源装置から供給される電流によってＬＥＤチップを駆動させ、この基板の周囲の適宜箇所に設けられた反射板によって効率的に光を反射して照射する照明器具として利用されるものである。
【０００４】
一方、従来の照明用取付部材である口金を使用した電球型のＬＥＤランプも多数市場に出され、寿命が長く、省電力であることから一般家庭でも利用される機会が増えている。例えば、複数のＬＥＤチップと、上記複数のＬＥＤチップを支持するための導通支持部材と、上記複数のＬＥＤチップに上記導通支持部材を通じて電力を供給するための口金と、を備えたＬＥＤランプが提案されている（特許文献１参照。）。
【先行技術文献】
【特許文献】
【０００５】
【特許文献１】特開２０１０−１８２７９６号公報
【考案の概要】
【考案が解決しようとする課題】
【０００６】
上記特許文献１に記載の技術は、従来から使用されている水銀灯などの接続器具から交流電力を口金を介して導通支持部材に供給し、ランプ内で直流に変換してＬＥＤチップを発光させるものであり、水銀灯に比較して省電力な照明を行なうことができるが、ランプ内に交流／直流変換を行なう基板が必要でありコストアップとなった。しかも、この基板からの発熱によってＬＥＤチップが劣化するという問題があった。
【０００７】
上記の問題点に鑑み本考案者らは、従来から使用されている取付器具から口金を通して直流電力を供給し、周囲に均一な光が照射できるＬＥＤランプを提供するに至った。
【課題を解決するための手段】
【０００８】
本考案のＬＥＤランプは、複数のＬＥＤチップと、該複数のＬＥＤチップを支持する金属基板と、該金属基板を周方向に複数配置して保持する支持部材と、前記金属基板に直流電力を供給する口金とを備え、該口金の各電極と前記金属基板に設けた電極とはそれぞれケーブルによって接続され、また前記金属基板を配置した支持部材を覆う透明カバーと、該カバーを介して放熱する放熱部材を備えたことを第一の特徴とする。
【０００９】
また、前記支持部材は、熱伝導性に優れたアルミなどの金属素材が使用され、円筒の周囲に均等に配置された複数の平板からなり、前記ＬＥＤチップに生じる熱を外部に放熱する前記放熱部材と連結可能としたことを第二の特徴とする。
【考案の効果】
【００１０】
本考案に係るＬＥＤランプによれば、複数のＬＥＤチップと、該複数のＬＥＤチップを支持する金属基板と、該金属基板を周方向に複数配置して保持する支持部材と、前記金属基板に直流電力を供給する口金とを備え、該口金の各電極と前記金属基板に設けた電極とはそれぞれケーブルによって接続されており、交流／直流変換を行なう電源基板をランプ内に設置する必要がなく安価に作成できると共に、この電源基板から発生する熱によるＬＥＤチップの劣化を防止できるという効果を有する。
【００１１】
また、前記支持部材は、熱伝導性に優れたアルミなどの金属素材が使用され、円筒の周囲に均等に配置された複数の平板からなり、前記複数のＬＥＤチップに生じる熱を外部に放熱する放熱部材を連結可能としたため、複数のＬＥＤチップから生じる熱を、金属基板及び支持部材を介して効率よく放熱部材から外部に放熱できるという効果を有する。
【図面の簡単な説明】
【００１２】
【図１】本考案に係るＬＥＤランプの一実施例を示す正面説明図である。
【図２】図１の平面説明図である。
【図３】本考案に係るＬＥＤランプの斜視説明図である。
【考案を実施するための形態】
【００１３】
以下、本考案を実施例を示す図面を参照しながら説明するが、本考案が本実施例に限定されないことは言うまでもない。図１は、本考案のＬＥＤランプの一実施例を示す正面説明図、図２は図１の平面説明図、図３は本考案に係るＬＥＤランプの斜視説明図である。
【実施例】
【００１４】
図１乃至図３に示すように、本考案のＬＥＤランプ１は、支持部材２と、この支持部材２の外周表面に熱接触して取付けられた金属基板３と、金属基板３表面に実装された複数のＬＥＤチップ４と、絶縁部材５を介して設けられた口金６とから構成されており、支持部材２の外周を覆う透明カバー７には前記支持部材２に連結する放熱部材８が取り付けられている。
【００１５】
支持部材２は、放熱性の高いＡｌなどの金属によって成形され、その中央部は円筒形とされており、外周面から均等に突出する複数の突起部２ａを介して略長方形状の支持部２ｂがそれぞれ離間して形成されて、この支持部２ｂの外周面に金属基板３を装着可能となっている。そして支持部材２の一端側には後述する透明カバー７を受けるフランジ部２１が形成されており、支持部材２と同じ金属が使用されており、このフランジ部２１を介して金属基板３からの発熱を放熱可能である。
【００１６】
金属基板３は、Ａｌなどの金属ベースからなる基板であり、表面に絶縁層を介して配線パターン（図示せず）が形成されている。そして金属基板３の表面には複数のＬＥＤチップ４及び電極９が所定の位置に実装されており、後述する口金６内の電極とケーブルによって接続される。そして金属基板３は、熱伝導性接着剤による接着若しくはネジによって支持部材２の支持部２ｂに取付けられる。尚、この金属基板３には交流電力を直流電力に変換する回路及び部品は実装されない。
【００１７】
口金６は、水銀灯の取付器具のソケット（図示せず）に装着して、電源装置から直流電力を供給する。口金６のサイズとしては、一般的なＥ２６型又はＥ３９型が採用されており、ソケット嵌合用のねじ山が形成された負側電極部６ａと、絶縁体６ｂを介して設けられた正側電極部６ｃとを備えている。そして、口金６は合成樹脂などの絶縁部材５を介して支持部材２と接続する。
【００１８】
さらに、口金６の負側電極部６ａと正側電極部６ｃは、上記金属基板３の電極９とケーブル（図示せず）によってそれぞれ接続され、外部直流電源から供給される直流電力を金属基板３に供給し、複数のＬＥＤチップ４を点灯させる。
【００１９】
支持部材２の外周を覆う透明カバー７は、透明な合成樹脂を押出し成形によってカップ形状に作成されており、金属基板３を取付けた支持部材２にネジ１０によって着脱可能に取付けられる。尚、透明カバー７の素材としてはアクリル樹脂などの透明な樹脂が使用されるが、必要に応じて半透明処理を行なった合成樹脂であってもよく、必要とされる照度を確保できる範囲で適宜選択される。
【００２０】
放熱部材８は、Ａｌ製円板が使用されており、上記透明カバー７の外部底面にネジ１０によって固定されると共に、支持部材２と熱伝導可能とされる。
【００２１】
次に、本考案のＬＥＤランプの作用を説明する。
【００２２】
本考案のＬＥＤランプ１は、口金６に水銀灯の取付器具のソケットに装着できるＥ２６型又はＥ３９型が採用されており、交換作業が容易となる。しかも光源として複数のＬＥＤチップ４を使用するため消費電力が少なく、長期間の使用が可能となる。
【００２３】
また、電源として直流電力を使用するため、ＬＥＤランプ１内に交流／直流変換用の電源基板を必要としないため、電源基板からの発熱によるＬＥＤチップ４の劣化が生じない。
【００２４】
そして、複数のＬＥＤチップ４から発生する熱は、支持部材２を介してフランジ部２１及び放熱部材８から外部へ放熱される。
【００２５】
以上、本考案のＬＥＤランプによれば、複数のＬＥＤチップと、該複数のＬＥＤチップを支持する金属基板と、該金属基板を周方向に複数配置して保持する支持部材と、前記金属基板に直流電力を供給する口金とを備え、該口金の各電極と前記金属基板に設けた電極とはそれぞれケーブルによって接続されており、交流／直流変換を行なう電源基板をランプ内に設置する必要がなく安価に作成できると共に、この電源基板から発生する熱によるＬＥＤチップの劣化を防止できる。また、前記支持部材は、熱伝導性に優れたアルミなどの金属素材が使用され、円筒の周囲に均等に配置された複数の平板からなり、前記複数のＬＥＤチップに生じる熱を外部に放熱する放熱部材を連結可能としたため、複数のＬＥＤチップから生じる熱を、金属基板及び支持部材を介して効率よく放熱部材から外部に放熱できる
【符号の説明】
【００２６】
１          ＬＥＤランプ
２          支持部材
２ａ        突起部
２ｂ        支持部
３          金属基板
４          ＬＥＤチップ
５          絶縁部材
６          口金
６ａ        負側電極部
６ｂ        絶縁体
６ｃ        正側電極部
７          透明カバー
８          放熱部材
９          電極
１０          ネジ
２１          フランジ部
【図１】
0003169673.tif 000003
【図２】
0003169673.tif 000004
【図３】
0003169673.tif 000005